(57)【要約】【課題】スラブ形状の変動による張力変動を抑制する連続鋳造圧延機の張力制御装置を提供する。【解決手段】実施形態は、複数のスラブの形状をあらかじめ設定したスラブ形状設定装置と、第１速度制御装置のために設定された第１速度基準にもとづいて、前記複数のスラブのうちの最初のスラブの先端の位置および前記複数のスラブのうちの隣接するスラブの境界の位置をそれぞれ算出し、算出された前記位置が、前記圧延ロールの位置に等しくなるごとに信号を出力する追跡装置と、前記第１速度制御装置が出力する負荷電流にもとづいて、前記第２速度制御装置のための所定の第２速度基準を補正して、第２速度基準補正値を出力する補正制御回路と、前記信号が出力されるタイミングごとに前記第２速度基準補正値の変化量に応じて、前記第２速度基準補正値を補正して、前記補正制御回路に供給する演算装置と、を備える。【選択図】図１
2020040081.tif 000002
【特許請求の範囲】
【請求項１】
第１速度制御装置によって駆動され、スラブを搬送するセグメントロールと、第２速度制御装置によって駆動され、前記セグメントロールによって搬送された前記スラブを圧延する圧延ロールと、の間で前記スラブの張力を制御する連続鋳造圧延機の張力制御装置であって、
複数のスラブの形状をあらかじめ設定したスラブ形状設定装置と、
前記第１速度制御装置のために設定された所定の第１速度基準にもとづいて、前記複数のスラブのうちの最初のスラブの先端の位置および前記複数のスラブのうちの隣接するスラブの境界の位置をそれぞれ算出し、算出された前記先端の位置および前記境界の位置が、前記圧延ロールの位置に等しくなるごとに信号を出力する追跡装置と、
前記第１速度制御装置が出力する負荷電流にもとづいて、前記第２速度制御装置のための所定の第２速度基準を補正して、第２速度基準補正値を出力する補正制御回路と、
前記信号が出力されるタイミングごとに、前記第２速度基準補正値の変化量に応じて、前記負荷電流を補正して、前記補正制御回路に供給する演算装置と、
を備えた連続鋳造圧延機の張力制御装置。
【請求項２】
前記演算装置は、前記信号が出力されるタイミングの前後の前記第２速度基準補正値の変化量を入力することによって、前記負荷電流を補正する請求項１記載の連続鋳造圧延機の張力制御装置。
【請求項３】
前記複数のスラブの形状のそれぞれに対応する負荷電流のデータを、前記先端の位置または前記境界の位置に応じてあらかじめ取得して記憶したデータ記憶装置をさらに備え、
前記データ記憶装置は、
前記スラブ形状設定装置から入力された前記複数のスラブ形状のうちの１つの形状に一致する前記負荷電流のデータを選択し、
前記追跡装置から入力された先端の位置または境界の位置に応じた前記負荷電流のデータを前記演算装置に供給する請求項１記載の連続鋳造圧延機の張力制御装置。
【請求項４】
前記負荷電流のデータは、前記複数のスラブの形状のそれぞれに対応するスラブ形状サンプルを用いて測定された請求項３記載の連続鋳造圧延機の張力制御装置。
【発明の詳細な説明】
【技術分野】
【０００１】
本発明の実施形態は、連続鋳造圧延機の張力制御装置に関する。
【背景技術】
【０００２】
スラブの鋳造から圧延、巻き取りまでを連続的に行う連続鋳造圧延技術が実用化されている。近年、異なる形状のスラブを連続かつ一体で鋳造し、圧延する技術を実用化することによって、生産効率の向上をはかることが望まれている。
【０００３】
従来の連続鋳造圧延技術では、最初にスラブの先端が圧延機に噛み込まれるときや、スラブ形状が変動することを考慮していないので、スラブ先端噛み込み前およびスラブ形状変動前の情報にもとづいて、張力制御を行っている。そのため張力制御装置は、不安定な動作になるおそれがある。
【先行技術文献】
【特許文献】
【０００４】
【特許文献１】特開平１１−３１９９０９号公報
【発明の概要】
【発明が解決しようとする課題】
【０００５】
実施形態は、上記の課題を解決するためのもので、最初にスラブ先端が噛み込まれるときや、圧延中のスラブ形状の変動による張力変動を抑制する連続鋳造圧延機の張力制御装置を提供する。
【課題を解決するための手段】
【０００６】
実施形態に係る連続鋳造圧延機の張力制御装置は、第１速度制御装置によって駆動され、スラブを搬送するセグメントロールと、第２速度制御装置によって駆動され、前記セグメントロールによって搬送された前記スラブを圧延する圧延ロールと、の間で前記スラブの張力を制御する。この張力制御装置は、複数のスラブの形状をあらかじめ設定したスラブ形状設定装置と、前記第１速度制御装置のために設定された所定の第１速度基準にもとづいて、前記複数のスラブのうちの最初のスラブの先端の位置および前記複数のスラブのうちの隣接するスラブの境界の位置をそれぞれ算出し、算出された前記先端の位置および前記境界の位置が、前記圧延ロールの位置に等しくなるごとに信号を出力する追跡装置と、前記第１速度制御装置が出力する負荷電流にもとづいて、前記第２速度制御装置のための所定の第２速度基準を補正して、第２速度基準補正値を出力する補正制御回路と、前記信号が出力されるタイミングごとに、前記第２速度基準補正値の変化量に応じて、前記負荷電流を補正して、前記補正制御回路に供給する演算装置と、を備える。
【発明の効果】
【０００７】
本実施形態では、圧延中のスラブの形状変動による張力変動を抑制する連続鋳造圧延機の張力制御装置が実現される。
【図面の簡単な説明】
【０００８】
【図１】実施の形態１に係る連続鋳造圧延機の張力制御装置を例示する模式的なブロック図である。
【図２】比較例の連続鋳造圧延機の張力制御装置を例示する模式的なブロック図である。
【図３】実施の形態２に係る連続鋳造圧延機の張力制御装置を例示する模式的なブロック図である。
【図４】実施の形態２の連続鋳造圧延機の張力制御装置の動作を説明するための模式図である。
【図５】実施の形態２の連続鋳造圧延機の張力制御装置の動作を説明するための模式図である。
【発明を実施するための形態】
【０００９】
以下、図面を参照しつつ、本発明の実施形態について説明する。
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。
なお、本願明細書と各図において、既出の図に関して前述したものと同様の要素には、同一の符号を付して詳細な説明を適宜省略する。
【００１０】
（実施の形態１）
図１は、実施の形態１に係る連続鋳造圧延機の張力制御装置を例示する模式的なブロック図である。
連続鋳造圧延機の張力制御装置２０は、鋳造設備および圧延機とともに用いられる。鋳造設備は、タンディッシュ１と、モールド２と、セグメントロール３ａ〜３Ｌと、を含む。圧延機は、圧延ロール６を含む。タンディッシュ１には、溶鋼が装入されている。モールド２は、タンディッシュ１から抽出された溶鋼を冷却する。セグメントロール３ａ〜３Ｌは、モールド２から取り出されたスラブを圧延機に向かって搬送する。圧延機は、圧延ロール６によって、搬送されてきたスラブを圧延する。
【００１１】
張力制御装置２０は、速度制御装置４ａ〜４Ｌおよび電流検出器９ａ〜９Ｌを介して、セグメントロール３ａ〜３Ｌの速度を制御しつつセグメントロール３ａ〜３Ｌを駆動する。張力制御装置２０は、速度制御装置７を介して、圧延ロール６の速度を制御しつつ駆動する。速度制御装置４ａ〜４Ｌおよび速度制御装置７は、張力制御装置２０から供給される速度基準にしたがって、各ロールを駆動する電動機を駆動する。速度制御装置７は、後述するように、速度制御装置４ａ〜４Ｌの負荷電流にもとづいて補正された速度基準を用いることによって、速度制御装置４ａ〜４Ｌとの間でスラブの張力制御を行う。
【００１２】
張力制御装置２０は、速度制御装置４ａ〜４Ｌが出力する電流値をそれぞれ検出して、これらの平均値にもとづいて、速度制御装置７の速度基準を補正する。また、張力制御装置２０は、スラブ形状の変動に応じて発生する速度基準の補正量または負荷電流の変化にもとづいて、速度制御装置７の速度基準をさらに補正する。このようにして、張力制御装置２０は、形状が変動するスラブに対しても張力を一定にするように速度基準を補正して速度制御装置７に供給する。
【００１３】
張力制御装置２０の構成について詳細に説明する。
張力制御装置２０は、スラブ形状設定装置１３と、演算装置１４と、追跡装置１５と、を備える。張力制御装置２０は、演算回路１２と、データサンプリング装置１０と、補正制御回路１１と、速度基準回路５，８と、をさらに含んでいる。
【００１４】
演算回路１２には、各電流検出器９ａ〜９Ｌによって検出された電流値のデータが入力される。演算回路１２は、検出された電流値の平均値を演算してデータサンプリング装置１０に供給する。なお、以下では、検出された電流値の平均値を負荷電流ということとする。
【００１５】
データサンプリング装置１０は、負荷電流のデータを所定の周期でサンプリングして補正制御回路１１に供給する。
【００１６】
補正制御回路１１は、速度基準回路８から供給される圧延ロール６のための速度基準およびデータサンプリング装置１０から供給される負荷電流のサンプリングデータを入力し、これらにもとづいて速度基準を補正して、補正された速度基準を速度制御装置７に供給する。補正制御回路１１は、たとえば負荷電流が減少したときには、速度基準を大きくするように補正し、負荷電流が増加したときには、速度基準を小さくするように補正する。
【００１７】
ここで、データサンプリング装置１０には、演算装置１４の演算結果がさらに入力される。演算装置１４には、追跡装置１５およびスラブ形状設定装置１３の出力が供給されている。
【００１８】
スラブ形状設定装置１３では、スラブの形状のデータがあらかじめ設定されている。スラブの形状とは、たとえば、スラブの厚さおよび幅の寸法のデータによって規定されている。スラブ形状設定装置１３に設定されたスラブ形状のデータは、スラブの厚さおよび幅の寸法のデータに、搬送方向に沿った位置座標が関連付けられたデータである。ここで、位置座標は、たとえば、スラブの先端を基準として設定され、スラブ形状の変動点の座標が設定されている。スラブ形状のデータは、スラブの厚さ、幅および全長のデータとしてもよい。
【００１９】
追跡装置１５は、スラブの先端の位置およびスラブ形状の変動点の位置を算出する。追跡装置１５が算出するスラブの先端の位置やスラブ形状の変動点の位置は、たとえばモールド２から出力されるタイミングによって初期化される。そのため、鋳造設備中のスラブの先端の位置やスラブ形状の変動点の位置は、セグメントロール３ａ〜３Ｌに対する速度基準を用いることによって算出することができる。モールド２の出力と圧延ロール６との間の距離は既知であるので、追跡装置１５は、スラブの先端およびスラブ形状の変動点が圧延ロールに達するタイミングを計算して、信号を出力する。なお、スラブ形状の変動点とは、異なるスラブ形状を有するスラブの境界である。この境界は、スラブ形状がゆるやかに変動、たとえば、スラブの厚さが座標値の進行にしたがって次第に厚くなる等である。そのため、たとえば異なる厚さの平均の厚さになる位置（座標）が変動点として規定されている。
【００２０】
演算装置１４は、スラブの先端が圧延ロール６に達するタイミングを表す信号を追跡装置１５から取得し、同時に、そのスラブの形状のデータをスラブ形状設定装置１３から取得する。また、演算装置１４は、補正制御回路１１から得られる速度基準の補正量の変化量を入力する。この補正量の変化は、たとえば追跡装置１５が信号を出力する前後の補正量にもとづいて計算される。
【００２１】
演算装置１４は、スラブ先端が圧延ロール６に達したタイミングで、速度基準の補正量の変化量にもとづいて、そのスラブ形状の場合のサンプリングデータの補正量（負荷電流の補正量）を演算し、データサンプリング装置１０に供給する。演算装置１４は、たとえば速度基準の補正量の変化量が大きいときには、データサンプリング装置１０に供給する負荷電流の補正量のデータをより大きく設定する。演算装置１４は、速度基準の補正量の変化量が小さいときには、データサンプリング装置１０に供給する負荷電流の補正量をより小さく設定する。
【００２２】
データサンプリング装置１０は、演算装置１４から供給された負荷電流の補正量にしたがって、サンプリングデータを補正（たとえば、負荷電流のサンプリングデータに負荷電流の補正量を加算）して、補正制御回路１１に供給する。補正制御回路１１は、スラブ先端が圧延ロール６に噛み込むときに必要な出力電流を供給できるように、速度基準を補正して、補正された速度基準を速度制御装置７に供給する。
【００２３】
スラブ形状の変動点が圧延ロール６に達するタイミングについても同様である。すなわち、演算装置１４は、スラブ形状の変動点が圧延ロール６に達するタイミングを追跡装置１５から取得し、同時に、そのスラブの形状のデータをスラブ形状設定装置１３から取得する。また、演算装置１４は、補正制御回路１１から得られる速度基準の補正量の変化量を入力する。演算装置１４は、スラブ形状の変動点が圧延ロール６に達したタイミングで、速度基準の補正量の変化量にもとづいて、そのスラブ形状の場合のサンプリングデータの補正量を演算し、データサンプリング装置１０に供給する。
【００２４】
このようにして、本実施形態の張力制御装置２０は、スラブ先端およびスラブ形状の変動点が圧延ロール６に達したタイミングで、負荷電流の変化量にもとづいて、速度基準の補正量を演算する。そのため、本実施形態の連続鋳造圧延機の張力制御装置２０は、スラブ先端およびスラブ形状の変動点が圧延ロール６に到達したタイミングにおけるスラブの張力変動を抑制することができる。
【００２５】
張力制御装置２０は、たとえばプログラマブルコントローラ（ＰＬＣ）によって構成されてもよい。ＰＬＣによって構成される場合には、上述した各ブロック(回路、装置等）は、ＰＬＣのプログラムの１つまたは複数のステップを実行することによって実現することができる。１つのＰＬＣを動作させる場合に限らず、複数のＰＬＣを連携させて動作させてもよい。
【００２６】
本実施形態の張力制御装置２０の効果について、比較例の張力制御装置と比較しつつ説明する。
図２は、比較例の連続鋳造圧延機の張力制御装置を例示する模式的なブロック図である。
図２に示すように、比較例の張力制御装置１２０は、演算回路１２と、データサンプリング装置１０と、補正制御回路１１と、を備えているが、スラブ形状設定装置１３、演算装置１４および追跡装置１５を備えていない（たとえば特許文献１参照）。
【００２７】
電流検出器９ａ〜９Ｌは、検出した負荷電流を演算回路１２にフィードバックする。演算回路１２は、フィードバックされた負荷電流の平均値をデータサンプリング装置１０に供給する。データサンプリング装置１０は、圧延ロール６圧下前のセグメントロール３ａ〜３Ｌの実負荷電流の平均値を一定時間ごとに採取し、その平均値と圧延ロール６圧下後のセグメントロール３ａ〜３Ｌの実負荷電流との偏差を補正制御回路１１へ出力する。補正制御回路１１はデータサンプリング装置１０からの出力を受けて、圧延ロール６の速度基準回路８からの基準速度を補正して速度制御装置７へ出力する。
【００２８】
このように、比較例の張力制御装置１２０では、スラブ先端やスラブ形状の変動点が圧延ロール６に到達した場合においても、上述のフィードバック制御を実行するのみであるので、張力制御が不十分となり、制御が不安定となるおそれがある。
【００２９】
これに対して、本実施の形態の張力制御装置２０では、スラブ形状設定装置１３と、演算装置１４と、追跡装置１５と、を備える。そのため、スラブ先端およびスラブ形状変動点が圧延ロール６に到達した時点で、圧延ロール６の速度制御装置７に供給する速度基準を適切に補正することができ、安定して張力制御を行うことができる。
【００３０】
本実施の形態の張力制御装置２０によれば、異なる形状のスラブを連続的に鋳造して圧延する連続鋳造圧延機を実現することができるので、圧延工程の生産効率を著しく向上させることができる。
【００３１】
（実施の形態２）
図３は、実施の形態２に係る連続鋳造圧延機の張力制御装置を例示する模式的なブロック図である。
図３に示すように、本実施の形態の張力制御装置２２０は、データ記憶装置１６をさらに備える。データ記憶装置１６以外の構成要素は、上述の他の実施の形態１の場合と同じであり、同一の構成要素には同一の符号を付して、詳細な説明を適宜省略する。
【００３２】
データ記憶装置１６には、あらかじめスラブ形状ごとに、負荷電流とスラブ先端位置との関係（以下、スラブ形状パターンという）のデータであるスラブ形状パターンデータが記憶されている。データ記憶装置１６は、スラブ形状設定装置１３から供給されるスラブ形状のデータおよび追跡装置１５から供給されるスラブ形状の変動点の位置のデータを入力する。
【００３３】
データ記憶装置１６は、スラブ形状設定装置１３からスラブ形状のデータを取得するとそのスラブ形状のデータに対応するスラブ形状パターンデータを選択する。
【００３４】
データ記憶装置１６は、選択されたスラブ形状パターンデータにもとづいて、負荷電流のデータを演算装置１４に供給する。演算装置１４は供給された負荷電流のデータおよび補正制御回路１１からフィードバックされる負荷電流のデータにもとづいて、補正量を演算して、データサンプリング装置１０に供給する。
【００３５】
図４および図５は、実施の形態２の連続鋳造圧延機の張力制御装置の動作を説明するための模式図である。
図４には、スラブ形状パターンデータをあらかじめ取得して、データ記憶装置１６に格納する方法が模式的に示されている。
【００３６】
スラブ形状パターンデータは、製品のスラブを投入するのに先立って取得される。たとえば、スラブ形状パターンデータは、複数のスラブ形状をそれぞれ有するスラブ形状パターンサンプルを用いて取得される。複数のスラブ形状のそれぞれは、製品のスラブとして投入され得るスラブの形状である。スラブ形状パターンサンプルは、このようなスラブ形状を有する試験的なサンプルである。なお、スラブ形状パターンサンプルは、セグメントロール３ａ〜３Ｌから圧延ロール６に達する程度の長さがあればよく、製品のスラブの搬送方向の長さよりも短くてもよい。
【００３７】
この例では、スラブ形状パターンデータは、Ｎ個のスラブ形状に対応するスラブ形状パターンサンプルを用いて取得される。
【００３８】
図４に示すように、各スラブ形状パターンデータＰ１，Ｐ２，…，ＰＮは、演算装置１４によって、負荷電流のデータがそれぞれ取得され、追跡装置１５によって、スラブ形状パターンサンプルの先端の位置が負荷電流のデータに応じて取得される。なお、スラブ形状パターンサンプルの先端の位置は、製品のスラブ投入時には、それが最初のスラブの場合には、先端位置であり、後続するスラブの場合には、スラブ形状の変動点の位置に置き換えられる。
【００３９】
このようにして、あらかじめ取得された各スラブ形状パターンデータＰ１，Ｐ２，…，ＰＮは、スラブ形状１，２，…，Ｎにそれぞれ関連付けられて、データ記憶装置１６に格納される。
【００４０】
図５には、スラブ形状設定装置１３が所定のスラブ形状のデータ（ここではスラブ形状Ｘとする）をデータ記憶装置１６に供給し、追跡装置１５がスラブ形状Ｘの変動点位置のデータをデータ記憶装置１６に供給している場合が示されている。
【００４１】
データ記憶装置１６は、スラブ形状Ｘからスラブ形状パターンデータＰＸを選択し、変動点位置のデータから負荷電流のデータを取得する。取得された負荷電流のデータは、演算装置１４に供給される。
【００４２】
本実施の形態では、スラブ先端および変動点が圧延ロール６に到達するタイミングに合わせて、負荷電流の補正量を決定することができるので、より安定した張力制御を実行することが可能になる。
【００４３】
以上説明した実施形態によれば、最初にスラブ先端が噛み込まれるときや、圧延中のスラブ形状の変動による張力変動を抑制する連続鋳造圧延機の張力制御装置を実現することができる。
【００４４】
以上、本発明のいくつかの実施形態を説明したが、これらの実施形態は、例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明およびその等価物の範囲に含まれる。また、前述の各実施形態は、相互に組み合わせて実施することができる。
【符号の説明】
【００４５】
１  タンディッシュ、２  モールド、３ａ〜３Ｌ  セグメントロール、４ａ〜４Ｌ  速度制御装置、５  速度基準回路、６  圧延ロール、７  速度制御装置、８  速度基準回路、９ａ〜９Ｌ  電流検出器、１０  データサンプリング装置、１１  補正制御回路、１２  演算回路、１３  スラブ形状設定装置、１４  演算装置、１５  追跡装置、１６  データ記憶装置、２０，２２０  張力制御装置
【図１】
2020040081.tif 000003
【図２】
2020040081.tif 000004
【図３】
2020040081.tif 000005
【図４】
2020040081.tif 000006
【図５】
2020040081.tif 000007